(57)【要約】紫外光照射時の媒体の可視蛍光の色の読み取り精度を簡便かつ正確に検出できる紫外線蛍光色検出装置及び紫外線蛍光色検出方法を提供する。紫外光源（第１の光源部（４））から媒体に紫外線を照射する。白色ＬＥＤ光源（第２の光源部（３）に含まれる光源）が、蛍光体を蛍光させることにより白色光を発生させる。受光部に設けられた複数の受光素子には、少なくとも１色以上の可視光カラーフィルタを透過した光が入射する。白色ＬＥＤ光源からの白色光が照射された白基準物（２００）からの光が可視光カラーフィルタを介して複数の受光素子に入射することにより得られる各受光素子からの出力信号に基づいて、紫外光源からの紫外光が照射された媒体からの蛍光が可視光カラーフィルタを介して複数の受光素子に入射することにより得られる各受光素子からの出力信号を補正する。
2018173210.tif 000002
【特許請求の範囲】
【請求項１】
紫外光源から媒体に紫外光を照射し、媒体から生じる蛍光色発光を受光部で検出する紫外線蛍光色検出装置であって、
蛍光体を蛍光させることにより白色光を発生させる白色ＬＥＤ光源と、
前記受光部に設けられ、少なくとも１色以上の可視光カラーフィルタを透過した光が入射する複数の受光素子と、
前記白色ＬＥＤ光源からの白色光が照射された白基準物からの光が前記可視光カラーフィルタを介して前記複数の受光素子に入射することにより得られる各受光素子からの出力信号に基づいて、前記紫外光源からの紫外光が照射された媒体からの蛍光が前記可視光カラーフィルタを介して前記複数の受光素子に入射することにより得られる各受光素子からの出力信号を補正する補正処理部とを備えることを特徴とする紫外線蛍光色検出装置。
【請求項２】
前記白色ＬＥＤ光源の出力が１０％から９０％に立ち上がるまでの時間、及び、９０％から１０％に立ち下がるまでの時間のそれぞれが、２μ秒以下であることを特徴とする請求項１に記載の紫外線蛍光色検出装置。
【請求項３】
前記複数の受光素子は、主走査方向に沿って直線状に配列されていることを特徴とする請求項１又は２に記載の紫外線蛍光色検出装置。
【請求項４】
紫外光源から媒体に紫外光を照射し、媒体から生じる蛍光色発光を受光部で検出する紫外線蛍光色検出装置を用いた紫外線蛍光色検出方法であって、
前記紫外線蛍光色検出装置は、
蛍光体を蛍光させることにより白色光を発生させる白色ＬＥＤ光源と、
前記受光部に設けられ、少なくとも１色以上の可視光カラーフィルタを透過した光が入射する複数の受光素子とを備え、
前記白色ＬＥＤ光源からの白色光が照射された白基準物からの光が前記可視光カラーフィルタを介して前記複数の受光素子に入射することにより得られる各受光素子からの出力信号に基づいて、前記紫外光源からの紫外光が照射された媒体からの蛍光が前記可視光カラーフィルタを介して前記複数の受光素子に入射することにより得られる各受光素子からの出力信号を補正することを特徴とする紫外線蛍光色検出方法。
【請求項５】
前記白色ＬＥＤ光源の出力が１０％から９０％に立ち上がるまでの時間、及び、９０％から１０％に立ち下がるまでの時間のそれぞれが、２μ秒以下であることを特徴とする請求項４に記載の紫外線蛍光色検出方法。
【請求項６】
前記複数の受光素子は、主走査方向に沿って直線状に配列されていることを特徴とする請求項４又は５に記載の紫外線蛍光色検出方法。
【発明の詳細な説明】
【技術分野】
【０００１】
本発明は、光学ラインセンサ装置に関し、特に有価証券や紙幣等の鑑別を目的とする鑑別用途光学ラインセンサ装置に関するもので、紫外線照射時に有価証券や紙幣などに含まれる蛍光体の蛍光色発光を精度良く検出する紫外線蛍光色検出装置及び紫外線蛍光色検出方法に関するものである。
【背景技術】
【０００２】
最近の印刷技術や複写技術の目覚ましい性能向上に伴い、紙幣、有価証券等の偽造がますます精巧になってきており、これらを的確に判別して排除することが国家の社会秩序を維持するために重要視されている。特にＡＴＭや紙幣処理機など紙幣を取り扱う機器において、より高速で高性能な真偽判定目的の鑑別システムが強く求められてきている。【０００３】
これら紙幣や有価証券（以下、「媒体」と略す）の鑑別方法として、セルフォックレンズアレイ（登録商標：日本板硝子製）などの等倍光学系を用いた密着光学ラインセンサ装置が広く使われてきている。【０００４】
上記光学ラインセンサ装置に関しては、媒体の偽造がますます巧妙化していることにより高精度の鑑別方法が求められており、対象媒体の表・裏・透過の３方位から可視光あるいは赤外光を発光する光源を用いて、複数の波長毎の画像を取り込んで媒体の鑑別を実施している。【０００５】
このため、光学ラインセンサ装置の光源部は、それぞれの波長を発光することができるように複数種類のＬＥＤを装備し、観測ラインごとに、これらのＬＥＤを順次切り替えて発光させる。そして、受光部にてそれぞれの観測ラインごとの光出力信号を重ね合わせて画像データとし、これをもとに媒体の鑑別を実施している。【０００６】
さらには、紫外光ＬＥＤの性能向上に伴い、反射光源に紫外光ＬＥＤを搭載して、媒体及び媒体表面印刷インクの紫外線励起による蛍光像を識別する手段も新たに採用されてきている。
本発明は、紫外線により媒体の蛍光を鑑別するセンサに関すものである。【０００７】
従来の紫外線による媒体の鑑別方法では、紫外光を照射し、それにより蛍光した媒体表面の反射像の可視光あるいは赤外光を、紫外線を遮蔽した状態で、光センサ上に受光してその出力を判別する手段が取られている。しかしながら、この識別方法は出力がモノトーンで検出されるため、実際に肉眼で蛍光を識別する際とイメージが大きく異なり、さらには媒体基材の蛍光による阻害などに起因して、目的とする蛍光対象を十分なコントラストで得られないという問題点を有している。【０００８】
このような問題点を解決する目的で、ラインセンサの画素上に少なくとも１色以上の可視光カラーフィルタ膜を設けて、媒体の蛍光色を直接検出する試みが、本発明者を含め、提案されてきている。これにより、媒体に紫外光照射した際、媒体の蛍光色を直接検出することが可能となって、さらなる鑑別精度の向上が期待されている。【０００９】
しかしながら、上記手段において、紫外線照射時の媒体蛍光の色の読み取り精度を肉眼での識別と同様なカラーバランスで検出するには、種々の課題があることが判ってきた。【００１０】
すなわち、従来の鑑別センサでは、赤、緑、青などの可視光ＬＥＤ単色光を順次点灯し、それぞれの媒体の出力画像の濃淡バランスを補正して適正なカラー出力画像に合成することができるが、センサ画素毎にカラーフィルタを設けて蛍光色を検出するには、カラーフィルタ毎の出力バランスが補正できず、所望する紫外線照射時の蛍光色の濃淡を正確に検出できない問題点がある。
【先行技術文献】
【特許文献】
【００１１】
【特許文献１】特開２００６−３９９９６号公報
【特許文献２】特開２００１−２２９７２２号公報
【発明の概要】
【発明が解決しようとする課題】
【００１２】
本発明は、上記問題点の解決に鋭意取り組んだ結果、新たな手段を見出し、到達したものである。【００１３】
センサの画素上にカラーフィルタを設けることを特徴とする光学ラインセンサ装置を用いることで、紫外光照射時の媒体の蛍光色を検出することが可能であるが、正確な色調を得ようとする場合、以下に記す問題点がある。【００１４】
例えば、従来技術のように可視光光源、例えば赤、緑、青のＬＥＤを順次点灯してさらに紫外光ＬＥＤを点灯して媒体の蛍光を検出する場合、可視光ＬＥＤそれぞれの波長の出力信号を調整して白バランスを補正することで、実態に即した可視光像を得ることができるものの、カラーフィルタの白バランスが検出できないために、紫外光照射時の蛍光色の色調は別の手段を採用しないと正確な情報が得られない。さらに、赤、緑、青のＬＥＤを同時点灯して白色光源としてカラーフィルタの濃度バランスを補正することを検討したが、赤、緑、青のＬＥＤそれぞれについて、素子毎の温度−出力特性、経時変化の補正、さらにはＬＥＤ発光の狭い波長域のためのカラーフィルタの透過特性の補正を実施することが煩雑であることが判明した。【００１５】
本発明は、上記実情に鑑みてなされたものであり、紫外光照射時の媒体の可視蛍光の色の読み取り精度を簡便かつ正確に検出できる紫外線蛍光色検出装置及び紫外線蛍光色検出方法を提供することを目的とする。
【課題を解決するための手段】
【００１６】
本発明者は、上記課題を解決すべく種々検討し、可視光域全てに出力がある白色光源を用い、カラーフィルタ毎の白基準出力を検出し、これによりカラーフィルタ毎の感度補正を実施することで紫外光照射時の媒体の蛍光色を色バランス良く取り出すことを試み、目的を達成できることが判明した。【００１７】
さらに、上記センサにおいて、可視光光源であるＲＧＢなどの可視光単体波長のＬＥＤ（ＲＧＢ各色ＬＥＤは温度特性や経時変化が異なり、カラーバランスを安定させることが困難であるので）を用いる代わりに、ＬＥＤに蛍光体を覆った特定の白色系ＬＥＤを用いることで、この光源にて白色媒体を基準として読み出し、各色フィルター毎の出力補正することにより、紫外光照射時の媒体の可視蛍光の色の読み取り精度を簡便かつ正確に検出できることを見出した。【００１８】
本発明に係る紫外線蛍光色検出装置は、紫外光源から媒体に紫外光を照射し、媒体から生じる蛍光色発光を受光部で検出する紫外線蛍光色検出装置であって、白色ＬＥＤ光源と、複数の受光素子と、補正処理部とを備える。前記白色ＬＥＤ光源は、蛍光体を蛍光させることにより白色光を発生させる。前記複数の受光素子は、前記受光部に設けられ、少なくとも１色以上の可視光カラーフィルタを透過した光が入射する。前記補正処理部は、前記白色ＬＥＤ光源からの白色光が照射された白基準物からの光が前記可視光カラーフィルタを介して前記複数の受光素子に入射することにより得られる各受光素子からの出力信号に基づいて、前記紫外光源からの紫外光が照射された媒体からの蛍光が前記可視光カラーフィルタを介して前記複数の受光素子に入射することにより得られる各受光素子からの出力信号を補正する。【００１９】
このような構成によれば、蛍光体を蛍光させることにより白色ＬＥＤ光源から白色光を発生させ、その白色光を白基準物に照射することにより、白基準物からの光が可視光カラーフィルタを介して複数の受光素子に入射する。このとき得られる各受光素子からの出力信号を基準画素出力値として用いることにより、紫外光照射時の媒体の可視蛍光の色の読み取り精度を簡便かつ正確に検出できる。【００２０】
具体的には、有価証券や紙幣などの媒体の鑑別時に、紫外光源から媒体に紫外光を照射し、媒体からの蛍光が可視光カラーフィルタを介して複数の受光素子に入射することにより、各受光素子からの出力信号が得られる。この出力信号に対して、上記基準画素出力値を用いて補正を行うことにより、紫外光照射時の蛍光色のカラーバランスを取ることができるため、所望のカラーバランスが取れた上質な画質を得ることができる。【００２１】
前記紫外光源は、例えば波長４００ｎｍ以下、特に好ましくは３００〜４００ｎｍの紫外光を照射する。前記紫外光源は、特に組成及び構造に制限はないが、発光効率及び出力が大きく、かつ、阻害要因となる可視光副波長がないことが好ましい。例えば、窒化ガリウムを主体とする半導体系の紫外光ＬＥＤを紫外光源として用いることが好ましい。【００２２】
前記白色ＬＥＤ光源の出力が１０％から９０％に立ち上がるまでの時間、及び、９０％から１０％に立ち下がるまでの時間のそれぞれが、２μ秒以下であることが好ましい。一般的に、照明用ＬＥＤは、通常ペロブスカイト系の蛍光体を用いており、図９に比較例として記載したごとく、この蛍光体は応答速度が遅く、立ち上がり時間Ｔｒ２及び立ち下り時間Ｔｆ２が１ｍ秒以上の場合があり、事前に応答速度を評価する必要がある。【００２３】
このような構成によれば、応答性の高い白色ＬＥＤ光源を用いることにより、紫外光照射時に所望のカラーバランスが取れたさらに上質な画質を得ることができる。すなわち、短時間で媒体の識別を行うためには高速での読み取りが必要である上、短時間で多数の波長を切り替えるため、応答性の高い白色ＬＥＤ光源を用いることが好ましい。【００２４】
例えば、多波長で、媒体の表面と裏面の反射及び透過を１波長あたり１００μ秒以下、好ましくは５０μ秒以下の読取時間で読み取ることが必要であり、このため、白色ＬＥＤ光源の出力が１０％から９０％に立ち上がるまでの時間、及び、９０％から１０％に立ち下がるまでの時間のそれぞれが、２μ秒以下、特に０．５μ秒以下であることが好ましい。
例えば、ＬＥＤ素子（図示せず）が紫又は青色であり、素子上に蛍光体が覆われた構造を有する。前記蛍光体に黄色発光するＹＡＧ：Ｃｅ（セリウムドープ酸化イットリウム、アルミニウムガーネット焼結体）を用いれば、応答速度が速い白色ＬＥＤ光源とすることができる。【００２５】
前記複数の受光素子は、主走査方向に沿って直線状に配列されていてもよい。このような構成によれば、１ラインの観測ライン上において紫外光照射時の媒体の可視蛍光色を高速で検出できる。【００２６】
本発明に係る紫外線蛍光色検出方法は、紫外光源から媒体に紫外光を照射し、媒体から生じる蛍光色発光を受光部で検出する紫外線蛍光色検出装置を用いた紫外線蛍光色検出方法であって、前記紫外線蛍光色検出装置は、蛍光体を蛍光させることにより白色光を発生させる白色ＬＥＤ光源と、前記受光部に設けられ、少なくとも１色以上の可視光カラーフィルタを透過した光が入射する複数の受光素子とを備える。前記紫外線蛍光色検出方法では、前記白色ＬＥＤ光源からの白色光が照射された白基準物からの光が前記可視光カラーフィルタを介して前記複数の受光素子に入射することにより得られる各受光素子からの出力信号に基づいて、前記紫外光源からの紫外光が照射された媒体からの蛍光が前記可視光カラーフィルタを介して前記複数の受光素子に入射することにより得られる各受光素子からの出力信号を補正する。
【発明の効果】
【００２７】
本発明によれば、蛍光体を蛍光させることにより白色ＬＥＤ光源から白色光を発生させ、その白色光を白基準物に照射することにより得られる各受光素子からの出力信号を基準画素出力値として用いることにより、紫外光照射時の媒体の可視蛍光の色の読み取り精度を簡便かつ正確に検出できる。
【図面の簡単な説明】
【００２８】
【図１】本発明の実施の形態における光ラインセンサユニットの構成を概略的に示す断面図である。
【図２】光ラインセンサユニットの付加的な構成を概略的に示す断面図である。
【図３】ライン光源の斜視図である。
【図４】ライン光源の各構成部材を示す分解斜視図である。
【図５】ライン光源の側面図である。
【図６】受光部の素子配列を示す模式図である。
【図７】受光部における受光素子と各色フィルタの配列例を示す図である。
【図８】補正処理部により補正を行う際の態様について説明するための概略図である。
【図９】白色ＬＥＤ光源の応答速度の実施例及び比較例を示した図である。
【発明を実施するための形態】
【００２９】
＜光ラインセンサユニット＞
図１は、本発明の実施の形態における光ラインセンサユニットの構成を示す概略断面図である。
【００３０】
この光ラインセンサユニットは、筐体１６と、紙葉類を照明するためのライン光源１０と、そのライン光源１０から焦点面２０に向けて出射され紙葉類で反射した光を導くためのレンズアレイ１１と、基板１３に実装されレンズアレイ１１により導かれた透過光を受光する受光部１２とを備えている。紙葉類は焦点面２０に沿って一方向ｘ（副走査方向）に搬送される。
これらの筐体１６、ライン光源１０、受光部１２、レンズアレイ１１は、ｙ方向（主走査方向）、すなわち図１における紙面に対して垂直な方向に延びていて、図１はその断面を示している。
【００３１】
ライン光源１０は、焦点面２０にある紙葉類に向けて光を出射するユニットである。出射される光の種類は可視光、白色光及び紫外光であり、さらに赤外光が出射されることもある。
この紫外光は波長ピークが３００ｎｍ〜４００ｎｍを有するもので、赤外光は波長ピークが１５００ｎｍまで有するものである。
これらの光のうち少なくとも紫外光は、他の光と時間的に重ならないようにして（すなわち時間的にスイッチングされながら）発光される。赤外光は、可視光と時間的に重なって発光されることもあり、時間的に重ならないようにして発光されることもある。
【００３２】
ライン光源１０から出射された光は、保護ガラス１４を透過して焦点面２０に集光される。保護ガラス１４は、必ずしも必要ではなく省略することもできるが、使用中（使用時）のごみ（紙葉類の搬送時に発生する紙粉等のダスト）の飛散や傷つきからライン光源１０やレンズアレイ１１を保護するために設置することが望ましい。
保護ガラス１４の材質はライン光源１０から出射される光を透過させるものであれば良く、例えばアクリル樹脂やシクロオレフィン系樹脂などといった透明の樹脂であってもよい。ただし、本発明の実施の形態では、白板ガラス、ホウケイ酸ガラスなど特に紫外光を透過させるものを使用するのが好ましい。
【００３３】
ライン光源１０の底面に対向して、ライン光源１０の両端に設置された第２の光源部３、第１の光源部４（図４、図５参照）を固定するための基板５が設置されている。この基板５はフェノール、ガラスエポキシなどで形成された薄い絶縁板であり、その裏面に銅箔からなる配線パターンが形成されている。第２の光源部３、第１の光源部４の端子を基板５の各所に形成された孔に挿入し、基板の裏面において半田などで配線パターンと接合することにより、第２の光源部３及び第１の光源部４を基板５に搭載し固定することができるとともに、所定の駆動電源（図示せず）から基板裏面の配線パターンを通して第２の光源部３及び第１の光源部４に電力を供給してその発光を駆動・制御することができる。
【００３４】
レンズアレイ１１は、紙葉類で反射された光を受光部１２に結像する光学素子であり、セルフォックレンズアレイ（登録商標：日本板硝子製）などのロッドレンズアレイを用いることができる。本発明の実施の形態では、レンズアレイ１１の倍率は１（正立）に設定されている。
焦点面２０から受光部１２までの任意の位置に、受光部１２に紫外光が入らないように、紫外光を反射又は吸収することにより遮断する「第３の光学フィルタ」としての紫外光遮断フィルタ膜１５を設けることが好ましい。本発明の実施の形態では、レンズアレイ１１の表面に紫外光遮断フィルタ膜１５を取り付け、紫外光を遮断する機能を持たせている。本明細書で「光を遮断する」とは、光を反射又は吸収して、透過させないことをいう。
【００３５】
この紫外光遮断フィルタ膜１５は、特に限定されるものではなく、紫外光が、受光部１２へ入るのを防止することができれば、材質・構造を問わない。例えば有機系の紫外光吸収剤を透明フィルムに混入あるいはコーティングした紫外光吸収フィルム、ガラス表面に酸化チタン、酸化珪素など透過率や屈折率の異なる金属酸化物もしくは誘電体の薄膜を多層蒸着することで得られる干渉フィルタ（バンドパスフィルタ）などが好ましい。
【００３６】
なお、紫外光遮断フィルタ膜１５はレンズアレイ１１の出射面に取り付けていたが、レンズアレイ１１の入射面又は中間部に取り付けてもよく、保護ガラス１４の内面に直接蒸着又は塗布して用いてもよい。要するに、紙葉類で反射された紫外光が、受光部１２へ入るのを防止することができればよい。
受光部１２は基板１３に実装され、反射光を受けて光電変換により電気出力として画像を読み取る受光素子を含んで構成されている。受光素子の材質・構造は特に規定されるものではなく、アモルファスシリコン、結晶シリコン、ＣｄＳ、ＣｄＳｅなどを用いたフォトダイオードやフォトトランジスタを配置したものであってもよい。またＣＣＤ（Charge Coupled Device）リニアイメージセンサであってもよい。さらに受光部１２として、フォトダイオードやフォトトランジスタ、駆動回路及び増幅回路を一体としたＩＣ（Integrated Circuit）を複数個並べた、いわゆるマルチチップ方式のリニアイメージセンサを用いることもできる。また、必要に応じて基板１３上に駆動回路、増幅回路などの電気回路、あるいは信号を外部に取り出すためのコネクタなどを実装することもできる。さらに基板１３上にＡ／Ｄコンバータ、各種補正回路、画像処理回路、ラインメモリ、Ｉ／Ｏ制御回路などを同時に実装してデジタル信号として外部に取り出すこともできる。
【００３７】
なお、前述した光ラインセンサユニットは、ライン光源１０から紙葉類に向けて出射され紙葉類で反射した光を受光する反射型の光ラインセンサユニットであったが、図２に示すように、焦点面２０を基準にして、ライン光源１０を受光部１２と反対の位置に置いて、ライン光源１０から紙葉類に向けて出射され紙葉類を透過した光を受光する、透過型の光ラインセンサユニットであってもよい。この場合、ライン光源１０の位置が焦点面２０の下側になるところが図１の配置と異なるのみで、ライン光源１０自体の構造は、今まで説明したものと異なるところはない。また反射型の光ラインセンサユニットと透過型の光ラインセンサユニットを両方含んでいてもよい。
【００３８】
＜ライン光源＞
図３は、図１に示される光ラインセンサユニットにおけるライン光源１０の外観を概略的に示す斜視図である。図４はライン光源１０の各構成部材の分解斜視図、図５はライン光源１０の側面図である。なお図５ではカバー部材２の図示は省略している。
ライン光源１０は、長手方向Ｌに沿って延びる透明な導光体１と、長手方向Ｌの一方の端面付近に設けられた第２の光源部３と、長手方向Ｌの他方の端面付近に設けられた第１の光源部４と、導光体１の各側面（底側面１ａ及び左右側面１ｂ，１ｃ）を保持するためのカバー部材２と、底側面１ａと左右側面１ｂとの間に斜めに形成された光拡散パターン形成面１ｇに形成され、第２の光源部３及び第１の光源部４から導光体１の端面１ｅ，１ｆに入射され導光体１の中を進む光を拡散・屈折させて、導光体１の光出射側面１ｄから出射させるための光拡散パターンＰとを有している。また好ましくは、導光体１の端面１ｅ，１ｆにそれぞれ形成された第２の光学フィルタ６、第１の光学フィルタ７を有している。
【００３９】
導光体１は、アクリル樹脂などの光透過性の高い樹脂、あるいは光学ガラスで形成してもよいが、本発明の実施の形態では、紫外光を発光する第１の光源部４を用いるので、導光体１の材料として、紫外光に対する減衰が比較的少ないフッ素系樹脂あるいはシクロオレフィン系樹脂が好ましい（特許文献２参照）。
導光体１は、細長い柱状であり、その長手方向Ｌに直交する断面は、長手方向Ｌのどの切り口においても、実質的に同じ形状、同じ寸法をしている。また導光体１のプロポーション、すなわち導光体１の長手方向Ｌの長さと、その長手方向Ｌに直交する断面の高さＨとの比率は１０よりも大きく、好ましくは３０よりも大きい。例えば導光体１の長さが２００ｍｍであれば、その長手方向Ｌに直交する断面の高さＨは５ｍｍ程度である。
【００４０】
導光体１の側面は、光拡散パターン形成面１ｇ（図４において導光体１の斜めカット面に相当）、底側面１ａ、左右側面１ｂ，１ｃ、光出射側面１ｄ（図４において導光体１の上面に相当）の５つの側面からなる。底側面１ａ、左右側面１ｂ，１ｃは平面形状であり、光出射側面１ｄはレンズの集光効果を持たせるために外向きに滑らかな凸の曲線状に形成されている。しかし光出射側面１ｄは必ずしも凸状に形成されていなくてもよく、平面形状であってもよい。この場合、光出射側面１ｄに対向するように、導光体１から出射した光を集光するレンズを配置するとよい。
【００４１】
光拡散パターン形成面１ｇ上の光拡散パターンＰは、一定の幅を維持して、導光体１の長手方向Ｌに沿って一直線状に延びている。この光拡散パターンＰの長手方向Ｌに沿った寸法は、イメージセンサの読取長（つまり受光部１２の読取領域の幅）よりも長くなるように形成されている。
この光拡散パターンＰは、導光体１の光拡散パターン形成面１ｇに彫刻された複数のＶ字状の溝により構成されている。この複数のＶ字状の溝の各々は、導光体１の長手方向Ｌに直交する方向に延びるよう形成されており、互いに同じ長さを有している。複数のＶ字状の溝は、断面が例えば二等辺三角形状を有していてもよい。
【００４２】
この光拡散パターンＰにより、導光体１の端面１ｅ，１ｆから入射され、導光体１の内部を長手方向Ｌに伝搬する光を屈折・拡散させ、長手方向Ｌに沿ってほぼ一様の明るさで光出射側面１ｄから照射することができる。これにより、導光体１の長手方向Ｌの全体において紙葉類に照射される光をほぼ一定とすることができ、照度むらを無くすことができる。
【００４３】
なお、光拡散パターンＰの溝のＶ字形状は一例であり、照度むらが顕著にならない限り、Ｖ字形に代えてＵ字形にするなど任意に変更することができる。光拡散パターンＰの幅も一定の幅を維持する必要はなく、導光体１の長手方向Ｌに沿って幅が変化するものであってもよい。溝の深さや溝の開口幅についても、適宜変更することができる。
カバー部材２は、導光体１の長手方向Ｌに沿った細長い形状であり、導光体１の底側面１ａ及び左右側面１ｂ，１ｃを覆うことができるように、導光体１の光拡散パターン形成面１ｇに対向する底面２ａ、導光体１の右側面１ｂに対向する右側面２ｂ、及び導光体１の左側面に対向する左側面２ｃを有している。これらの３つの側面はそれぞれ平面をなしており、これらの３つの内面で断面がほぼＵ字状の凹部を形成するので、導光体１をこの凹部の中に挿入することができる。この覆った状態で、カバー部材２の底面２ａが導光体１の底側面１ａに密着し、カバー部材２の右側面２ｂが導光体１の右側面１ｂに密着し、左側面２ｃが導光体１の左側面１ｃに密着する。このため、カバー部材２で導光体１を保護することができる。
【００４４】
なお、カバー部材２は透明なカバーに限定されず、半透明、又は不透明なものであってもよい。例えばカバー部材２は、導光体１の光出射側面以外の側面より漏れ出す光を再び導光体１内に反射させるために、反射率の高い白色樹脂の成形品、又はその白色樹脂を塗布した樹脂の成形品であってもよい。または、カバー部材２をステンレスやアルミニウムなどの金属体で形成してもよい。
【００４５】
第２の光源部３は可視光、又は可視から赤外にわたる波長の光を発光する光源３ａと、白色光を発光する光源３ｂとを含む。光源３ａは、例えば近赤外、赤、緑、青の各波長の光を発する複数のＬＥＤ（Light Emitting Diode）を有する。光源３ｂは、蛍光体を蛍光させることにより白色光を発生させる白色ＬＥＤ光源であり、例えば青色又は紫色のＬＥＤで蛍光体を蛍光させて白色光を発生させる白色ＬＥＤ光源や、紫外域ＬＥＤで蛍光体を蛍光させて白色光を発生させる白色ＬＥＤ光源などが用いられる。蛍光体は、ＬＥＤ素子上にコーティング又は封止剤に混入され、ＬＥＤからの光に蛍光体の発光を付加させることにより、可視光域全てに出力がある白色ＬＥＤ光源となる。
【００４６】
白色ＬＥＤ光源としての光源３ｂは、応答性が高いことが好ましく、図９に実施例として記載したごとく、例えば出力（相対発光強度）が１０％から９０％に立ち上がるまでの応答時間（立ち上がり時間Ｔｒ１）、及び、９０％から１０％に立ち下がるまでの応答時間（立ち下がり時間Ｔｆ１）が、２μ秒以下、特に好ましくは０．５μ秒以下である。蛍光体を蛍光させて白色光を発生させる白色ＬＥＤ光源は、蛍光体を使用していることに起因して応答性が阻害されているため、特定の蛍光体を採用することが好ましい。例えば、光源３ｂのＬＥＤ素子（図示せず）が紫又は青色であり、素子上に蛍光体が覆われた構造を有する。前記蛍光体に黄色発光するＹＡＧ：Ｃｅ（セリウムドープ酸化イットリウム、アルミニウムガーネット焼結体）を用いれば、応答速度が速い白色ＬＥＤ光源とすることができる。
【００４７】
第１の光源部４は、導光体１に対して紫外光を発光する紫外光源であり、３００ｎｍ〜４００ｎｍの紫外光ＬＥＤ光源等が使用可能である。好ましくは３３０ｎｍ〜３８０ｎｍの範囲にピーク発光波長を有する紫外発光ダイオードが用いられる。
【００４８】
第２の光源部３と第１の光源部４には、基板５に実装されるための端子３１が形成されていて、この端子３１を基板５に差込み、半田付けなどで接合することにより、それぞれ駆動電源（図示せず）に電気的に接続される。駆動電源は、第２の光源部３に電圧を印加する電極端子と第１の光源部４に電圧を印加する電極端子とを選択することにより、第２の光源部３及び第１の光源部４を同時に、若しくは時間的に切り替えて発光させることができる回路構成となっている。また第２の光源部３に内蔵された複数のＬＥＤのうち任意のＬＥＤを選択して同時に、若しくは時間的に切り替えて発光させることもできる。
【００４９】
以上の構成により、コンパクトな構成で、第２の光源部３（光源３ａ）が設置される端面１ｅから可視光又は可視光から赤外光までを含む波長範囲の光を導光体１に入射することができ、第１の光源部４が設置される端面１ｆから紫外光を導光体１に入射することができる。これにより、前記第１の光源部４から発光される光、又は前記第２の光源部３から発光される光を、前記導光体１の光出射側面１ｄから出射することができる。また、光源３ａが設置される側と同じ端面１ｅから、光源３ｂにより白色光を導光体１に入射し、導光体１の光出射側面１ｄから出射することができる。
【００５０】
好ましくは、導光体１の第２の光源部３が設置される端面１ｅには、４２０ｎｍ以上の赤外光及び可視光を透過させ、４００ｎｍ未満の紫外光を反射又は吸収することにより遮断する第２の光学フィルタ６が設けられている。また導光体１の第１の光源部４が設置される端面１ｆには、４００ｎｍ未満の紫外光を透過させ、４２０ｎｍ以上の赤外光及び可視光を反射又は吸収することにより遮断する第１の光学フィルタ７が設けられている。
【００５１】
第２の光学フィルタ６、第１の光学フィルタ７は、特に限定するものではなく、目的とする波長域を遮断するものであれば材質・構造を問わない。例えば反射させる光学フィルタであれば、ガラス表面に透過率や屈折率の異なる金属酸化物もしくは誘電体の薄膜を多層蒸着することで得られる干渉フィルタ（バンドパスフィルタ）が好ましい。
反射させる干渉フィルタとしては、例えば、酸化珪素と五酸化タンタルなどを採用し、それぞれの透過率や屈折率及び膜厚を調整して多層蒸着することにより所望のバンドパスフィルタ特性を確保することで得られる。なお、当然ながら通常の光学関連産業用に従来から生産されているバンドパスフィルタで、要求性能を満足するものであれば、採用に際して特に制限はない。
【００５２】
第２の光学フィルタ６、第１の光学フィルタ７に干渉フィルタを用いる場合、前記干渉フィルタのみでは目的とする透過域を調整出来ない場合は、さらにその上に金属又はその酸化物、窒化物、フッ化物の薄膜を用いたフィルムを重ねることで所望の波長特性を確保することが可能である。
第２の光学フィルタ６が紫外光を吸収する光学フィルタであれば、有機系の紫外光吸収剤を透明フィルムに混入あるいはコーティングした紫外光吸収フィルムであってもよい。また、干渉フィルタで、例えば、酸化珪素と酸化チタンなどを採用し、それぞれの透過率や屈折率及び膜厚を調整して多層蒸着することにより紫外光を反射、吸収両機能により遮断することで所望波長特性を確保してもよい。
【００５３】
また第１の光学フィルタ７が可視光、赤外光を吸収する光学フィルタであれば、紫外光を通過させ可視光、赤外光をカットする物質をフィルムの中に添加してもよい。
なお、第２の光学フィルタ６、第１の光学フィルタ７の導光体１への設置方法は任意であり、導光体１の端面１ｅ，１ｆに塗布又は蒸着により被覆してもよい。またフィルム状もしくは板状の第２の光学フィルタ６、第１の光学フィルタ７を用意し、導光体１の端面１ｅ，１ｆに密着させて、もしくは端面１ｅ，１ｆから一定の距離をおいて取り付けてもよい。
また、第２の光学フィルタ６、第１の光学フィルタ７を導光体１の端面１ｅ，１ｆに設けるのではなく、第２の光源部３、第１の光源部４に設けることも可能である。この場合、各光源部３，４に光学フィルタ６，７を塗布又は蒸着により被覆してもよいし、フィルム状もしくは板状の光学フィルタ６，７を用意し、各光源部３，４に密着させて取り付けてもよい。あるいは、第２の光源部３の封止剤に、可視光、又は可視光から赤外光までを含む波長範囲の光を透過させ、紫外光を遮断する物質を添加することにより、第２の光学フィルタ６を構成してもよい。同様に、第１の光源部４の封止剤に、紫外光を透過させ、可視光、又は可視光から赤外光までを含む波長範囲の光を遮断する物質を添加することにより、第１の光学フィルタ７を構成してもよい。
【００５４】
第１の光学フィルタ７が、紫外光を透過させ、赤外光及び可視光を反射又は吸収する光学フィルタであれば、次のような利点がある。第１の光源部４が酸化アルミニウム・セラミックス焼結体など、紫外光が当たった時に波長６９０ｎｍ付近の蛍光を発する実装基体を採用している場合を想定する。紫外光が第１の光源部４から照射されるときに、その照射光が第１の光源部４の実装基体に当たり６９０ｎｍ付近の蛍光が二次照射されて導光体１の中に入ることを防止する必要がある。そこで、第１の光学フィルタ７を、赤外光及び可視光を反射又は吸収するように設計することにより、二次照射された蛍光が導光体１の中に入らないようにすれば、導光体１の光出射側面１ｄからの不要な蛍光の出射を防止することができ、紙葉類の紫外蛍光のコントラストを良くすることができる。なお、紫外光が蛍光するものは酸化アルミニウム・セラミックス焼結体だけでなく、封止樹脂が蛍光する場合についても同様に二次照射を防ぐことができる。
【００５５】
第２の光学フィルタ６が、赤外光及び可視光を透過させ、紫外光を反射又は吸収する光学フィルタであれば、次のような利点がある。第２の光源部３が酸化アルミニウム・セラミックス焼結体など、紫外光が当たった時に波長６９０ｎｍ付近の蛍光を発する実装基体を採用している場合を想定する。第１の光源部４から照射された紫外光が導光体１の端面１ｅを通過して第２の光源部３に当たると、６９０ｎｍ付近の蛍光が第２の光源部３から二次照射されて導光体１の中に入って来るので、これを防止する必要がある。そこで、第２の光学フィルタ６を、紫外光を反射又は吸収するように設計することにより、紫外光が導光体１の端面１ｅから外に出ないようにすれば第２の光源部３に当たることがない。したがって、導光体１の光出射側面１ｄからの不要な蛍光の出射を防止することができる。その結果、紙葉類の紫外蛍光のコントラストを良くすることができる。
【００５６】
本発明の実施の形態では、第２の光学フィルタ６が赤外光及び可視光を透過させ、紫外光を反射する光学フィルタの方が好ましく、次のような利点がある。第１の光源部４から導光体１に入射され第２の光学フィルタ６で反射し導光体１に戻る紫外光の光量が増加するので、結果として、導光体１の光出射側面１ｄからの紫外光の出射光量が増大するという効果が得られる。この場合、第２の光学フィルタ６は第２の光源部３から照射される赤外光及び可視光を透過させるので、第２の光源部３からの赤外光及び可視光が導光体１に入るのを妨げることもない。
【００５７】
また第１の光学フィルタ７が紫外光を透過させ、可視光、赤外光を反射する光学フィルタであれば、第２の光源部３から照射され、導光体１に入射され第１の光学フィルタ７で反射し導光体１に戻る可視光、赤外光の光量が増加するので、結果として、導光体１の光出射側面１ｄからの可視光、赤外光の出射光量が増大するという効果が得られる。また第１の光学フィルタ７は第１の光源部４から照射される紫外光を透過させるので、導光体１の光出射側面１ｄからの紫外光の出射も可能になる。
【００５８】
第１の光源部４から発光される紫外光は、第１の光学フィルタ７を介して導光体１に入射し、光拡散パターン形成面１ｇにより拡散・屈折して、光出射側面１ｄから焦点面２０にある紙葉類（媒体）に照射される。これにより、紙葉類から蛍光が生じ、その蛍光色発光が受光部１２で検出されることにより、紫外光を用いた紙葉類の識別を行うことができる。
第２の光源部３の光源３ａから発光される可視光又は可視光から赤外光までを含む波長範囲の光は、第２の光学フィルタ６を介して導光体１に入射し、光拡散パターン形成面１ｇにより拡散・屈折して、光出射側面１ｄから焦点面２０にある紙葉類（媒体）に照射される。これにより、可視光又は赤外光を用いた紙葉類の識別を行うことができる。
【００５９】
＜受光部＞
図６は、受光部１２の素子配列を示す模式図である。受光部１２は、ｙ方向に直線状に並べられた複数の受光素子（それぞれフォトダイオード、フォトトランジスタなどで構成される）と信号処理部２１とドライバ２２とを一体化させたセンサＩＣチップを配列し、各受光素子をカラーフィルタで覆い、これを基板上に実装したものである。ドライバ２２は受光素子を駆動するためのバイアス電流を作成し供給する回路部分であり、信号処理部２１は受光素子の光検出信号を読み取り処理する回路部分である。受光素子の種類は、限定されないが、例えばシリコンＰＮダイオード若しくはＰＩＮダイオードが用いられる。
【００６０】
紙葉類がｘ方向（副走査方向）に移動する間に、一列に並べられた受光素子を露光することによって、紙葉類の面上にｙ方向（主走査方向）に沿った所定幅の観測ラインを設定することができる。紙葉類のライン情報を読み取る露光時間（光学読取時間という）は、光源の強度、センサの波長感度などに応じて任意に設定できる。例えば紙葉類のｘ方向の移動速度はＡＴＭや紙幣処理機などでは１５００〜２０００ｍｍ／秒であり、光学読取時間として０．５〜１．０ミリ秒を採用すれば、観測ラインのｘ方向の幅は０．７５〜２ｍｍとなる。
【００６１】
本発明の実施の形態では、図６に示すように、受光部１２の一画素（画素とは、画像データを読み取り処理する空間的単位を言う）あたり複数、例えば４つの受光素子が直線状に並んで構成されている。図６では、４つの受光素子のうち、１番目の受光素子が赤い（Ｒ）カラーフィルタで覆われ、２番目の受光素子が緑の（Ｇ）カラーフィルタで覆われ、３番目の受光素子が青い（Ｂ）カラーフィルタで覆われている。そして、４番目の受光素子は透明（Ｗ）フィルタで覆われているか、若しくは各色フィルタで覆われていない。なお前記カラーフィルタ（Ｒ，Ｇ，Ｂ）は通常、３００〜４００ｎｍの紫外光に対しては不透明であり、波長８００ｎｍ以上の赤外光に対しては透過性を有する。
このように、受光部１２には、各画素に対応付けて可視光カラーフィルタ（Ｒ，Ｇ，Ｂ）が設けられ、このカラーフィルタを透過した光が各受光素子に入射する。ただし、カラーフィルタは、各画素につき３色に限らず、１色以上のカラーフィルタが設けられていればよい。
なお、図６では１素子のみが同一色のカラーフィルタで覆われていたが、２つ以上の受光素子が同一色のカラーフィルタで覆われていてもよい。
【００６２】
透明（Ｗ）フィルタは、いかなる着色もない「透明な」フィルタである。例えば全てのカラーフィルタの光透過率を加算した光透過率を持つことが望ましい。例えばＲフィルタの光透過帯域と、Ｇフィルタの光透過帯域と、Ｂフィルタの光透過帯域とをつないで包絡線を作ったときの、この包絡線と同様の光透過率を持つことが望ましい。このような「透明フィルタ」を形成する膜の材料は、有機材料では透明なアクリル樹脂、シクロオレフィン系樹脂、シリコーン樹脂、フッ素系樹脂の中から選ばれ、また無機系では窒化シリコン膜、酸化シリコン膜の中から選ばれる。
【００６３】
これらの各色フィルタ材料は、３００〜４００ｎｍの紫外光に対しても透明である。これらの光学フィルタ材料は、波長８００ｎｍ以上の赤外光に対しても透過性を有する。
なお、有機材料においては、液晶用途に用いられる紫外光吸収剤を含んだ透明材料は、紫外光に対して透明でないので、採用することは好ましくない。
このように、受光部１２は、一画素に複数の受光素子とそれらを覆う各色のカラーフィルタが搭載されているため、光源の波長を切り替えないで、それぞれが所望の波長領域の光を単独で照射できる複数の発光素子を同時に点灯させて、紙葉類の色情報を１本の観測ラインで一度に出力することが可能となる。
【００６４】
このような構成の受光部１２の光検出信号は、各受光素子の光検出信号を同時に取得した信号であり、これらは信号処理部２１に入力される。信号処理部２１は、受光部１２のＲ，Ｇ，Ｂの各カラーフィルタを透過した受光素子の信号強度に基づいて、紙葉類の色情報を判別するとともに、透明（Ｗ）フィルタを透過し、若しくは、前記各色フィルタを透過しない信号強度に基づいて、当該画素に入ってくる全体光量を算出する。これにより、全体光量を分母（リファレンス）とした、各色信号の正確な光量に基づく画像データを得ることができる。
【００６５】
信号処理部２１からの信号は、制御部１００に入力される。制御部１００は、例えばＣＰＵ（Central Processing Unit）を含む構成であり、ＣＰＵがプログラムを実行することにより、判定部１０１及び補正処理部１０２などとして機能する。
判定部１０１は、受光素子で読み取った紙葉類の画像データを、それぞれ例えばマスタデータと比較して真偽、金種及び汚損等を判別する。補正処理部１０２は、信号処理部２１から入力される信号を補正することにより、補正された画像データを生成する。判定部１０１は、補正処理部１０２により補正された画像データに基づいて判定を行う。
【００６６】
ただし、受光部１２の素子配列は前記の形態に限定されるものではない。例えば、受光部１２の受光素子は図７（ａ）に示したように、ＲＧＢＷＲＧＢＷ・・・というように一列に配列されているとは限らず、二列以上に配列されたものであってもよい。図７（ｂ）は、前記受光素子が一画素あたり２×２に配列されたものであり、２列のうち１つの列（例えば下の列）の一隅に、透明（Ｗ）フィルタ又は各色フィルタ無の第二の受光素子が配列されている例を示す。図７（ｃ）は前記受光素子が一画素あたり４列に配列されたものであり、それらの４列のうち最も１つの列（例えば下の列）に、透明（Ｗ）フィルタ又は各色フィルタ無の第二の受光素子が配列されている例を示す。これらの場合でも、一画素内において、透明（Ｗ）フィルタを通して又は各色フィルタ無の受光素子で検出された光信号を記録するとともに、各カラーフィルタ（Ｒ，Ｇ，Ｂ）を透過した各受光素子の信号強度を検出することができる。
また、透明（Ｗ）フィルタの代わりに、緑（Ｇ）のカラーフィルタを設けることにより、ＲＧＢＧＲＧＢＧ・・・というような配列にしてもよい。このように、各画素に設けられるカラーフィルタの種類及び数は任意であり、各画素に少なくとも１色以上の可視光カラーフィルタが設けられていればよい。
【００６７】
＜補正処理＞
図８は、補正処理部１０２により補正を行う際の態様について説明するための概略図である。本発明の実施の形態では、第２の光源部３の光源３ｂから発光される白色光を用いて補正を行うことにより、紫外光照射時の蛍光色のカラーバランスを取ることができるようになっている。
【００６８】
具体的には、焦点面２０に沿ってｘ方向に白基準物２００を搬送する。白基準物２００は、例えば反射率の高い白色のシートからなる。白基準物２００の搬送時には、第２の光源部３の光源３ｂから白色光が発光され、その白色光が導光体１の光出射側面１ｄから出射して白基準物２００に照射される。白色光が照射された白基準物２００からの反射光は、レンズアレイ１１を透過して受光部１２に入射し、受光部１２の各カラーフィルタを介して複数の受光素子で受光される。これにより、各受光素子からの出力信号の信号強度が検出される。
このようにして白色光から得られた各画素におけるＲＧＢ各色に対応する信号強度の値が、各画素において最も小さい値で除算されることにより、ＲＧＢ各色の規格化出力の比（Ｒｎ：Ｇｎ：Ｂｎ）が基準画素出力値として画素ごとに算出される。
【００６９】
その後、焦点面２０に沿ってｘ方向に紙葉類（媒体）を搬送する。紙葉類の搬送時には、第１の光源部４から紫外光が発光され、その紫外光が導光体１の光出射側面１ｄから出射して紙葉類に照射される。紫外光が照射された紙葉類からは蛍光が生じ、その蛍光がレンズアレイ１１を透過して受光部１２に入射し、受光部１２の各カラーフィルタを介して複数の受光素子で受光される。これにより、各受光素子からの出力信号の信号強度Ｒｆ，Ｇｆ，Ｂｆが検出される。
このようにして蛍光から得られた各画素におけるＲＧＢ各色に対応する信号強度の値Ｒｆ，Ｇｆ，Ｂｆが、各画素において予め算出されたＲＧＢ各色の規格化出力の比（Ｒｎ：Ｇｎ：Ｂｎ）でそれぞれ除算されることにより、補正後の信号強度の値Ｒｆｃ，Ｇｆｃ，Ｂｆｃが画素ごとに算出される。
【００７０】
すなわち、各画素における赤色（Ｒ）に対応する補正後の信号強度の値Ｒｆｃは下記式（１）により算出され、各画素における緑色（Ｇ）に対応する補正後の信号強度の値Ｇｆｃは下記式（２）により算出され、各画素における青色（Ｂ）に対応する補正後の信号強度の値Ｂｆｃは下記式（３）により算出される。
Ｒｆｃ＝Ｒｆ／Ｒｎ  ・・・（１）
Ｇｆｃ＝Ｇｆ／Ｇｎ  ・・・（２）
Ｂｆｃ＝Ｂｆ／Ｂｎ  ・・・（３）
【００７１】
＜作用効果＞
本発明の実施の形態では、本発明の白色ＬＥＤ光源（第２の光源部３の光源３ｂ）即ち、励起光源を、紫、青のＬＥＤ上を蛍光体で覆い、ＬＥＤ素子の発光と蛍光体の蛍光を合成した白色光を白基準物２００に照射することにより、白基準物２００からの光が可視光カラーフィルタを介して複数の受光素子に入射する。このとき得られる各受光素子からの出力信号を基準画素出力値Ｒｎ，Ｇｎ，Ｂｎとして用いることにより、紫外光照射時の紙葉類の可視蛍光の色の読み取り精度を簡便かつ正確に検出できる。
【００７２】
具体的には、有価証券や紙幣などの紙葉類（媒体）の鑑別時に、紫外光源（第１の光源部４）から紙葉類に紫外光を照射し、紙葉類からの蛍光が可視光カラーフィルタを介して複数の受光素子に入射することにより、各受光素子からの出力信号Ｒｆ，Ｇｆ，Ｂｆが得られる。この出力信号Ｒｆ，Ｇｆ，Ｂｆに対して、基準画素出力値Ｒｎ，Ｇｎ，Ｂｎを用いて上記式（１）〜（３）により補正が行われる。これにより、紫外光照射時の蛍光色のカラーバランスを取ることができるため、所望のカラーバランスが取れた上質な画質を得ることができる。
【００７３】
特に、上記実施の形態のように、立ち上がり時間及び立ち下がり時間が短く応答性の高い白色ＬＥＤ光源（第２の光源部３の光源３ｂ）を用いることにより、紫外光照射時に所望のカラーバランスが取れたさらに上質な画質を得ることができる。すなわち、短時間で紙葉類の識別を行うためには高速での読み取り（例えば１ラインの読み取り速度が１００μ秒以下）が必要である上、短時間で多数の波長を切り替えるため、応答性の高い白色ＬＥＤ光源を用いることが好ましい。
【００７４】
さらに、本発明の実施の形態では、受光部１２において複数の受光素子がｙ方向（主走査方向）に沿って直線状に配列されている。これにより、１ラインの観測ライン上において紫外光照射時の紙葉類の可視蛍光色を高速で検出できる。
【００７５】
＜変形例＞
以上で、本発明の実施の形態を説明したが、本発明の実施は、以上の形態に限定されるものではない。例えば本発明では、第２の光源部３の光源３ａは可視光、又は可視から赤外にわたる波長の光を発光する光源であったが、可視光のみを発光する光源であってもよい。第２の光源部３の光源３ａを省略し、白色ＬＥＤ光源としての光源３ｂのみを設けてもよい。また、光拡散パターンＰの形成面を、導光体１の光出射側面１ｄを除く任意の面に配置することができる。例えば光拡散パターンを底側面１ａに形成して、これを光拡散パターンＰの形成面としてもよい（この場合底側面１ａと左右側面１ｂとの間に斜めに面を形成する必要はない）。
【００７６】
補正処理では、第１の光源部４からの紫外光が照射された紙葉類からの蛍光が受光部１２に入射することにより得られる各受光素子からの出力信号ではなく、第２の光源部３の光源３ａからの可視光、又は可視から赤外にわたる波長の光が照射された紙葉類からの光が受光部１２に入射することにより得られる各受光素子からの出力信号が、基準画素出力値Ｒｎ，Ｇｎ，Ｂｎを用いて補正されてもよい。
【００７７】
ライン光源１０は、導光体１に対して長手方向Ｌの一方又は両方の端面から光を入射させ、光拡散パターンＰで光を拡散・屈折させるような構成に限らず、導光体１の底側面１ａ側から光出射側面１ｄを介して焦点面２０に光を直接照射するような構成（いわゆる直下型）であってもよい。これにより、安価で出力が比較的小さいＬＥＤを光源として用いた場合であっても、直下型に配列することによって所望の光量を確保することができる。このような直下型の構成の場合、導光体１を省略することも可能である。
【００７８】
また、観測ラインは１ラインに限られるものではなく、それぞれｙ方向（主走査方向）に沿って延びる複数の観測ラインが、ｘ方向（副走査方向）に並べて設定されていてもよい。この場合、ｘ方向の同一列の画素における出力信号の平均値を算出し、その平均値を用いて補正処理が行われてもよい。
【符号の説明】
【００７９】
１      導光体
２      カバー部材
３      第２の光源部
３ａ    光源
３ｂ    光源（白色ＬＥＤ光源）
４      第１の光源部
６      第２の光学フィルタ
７      第１の光学フィルタ
１０    ライン光源
１１    レンズアレイ
１２    受光部
２０    焦点面
１００  制御部
１０１  判定部
１０２  補正処理部
２００  白基準物
【図１】
2018173210.tif 000003
【図２】
2018173210.tif 000004
【図３】
2018173210.tif 000005
【図４】
2018173210.tif 000006
【図５】
2018173210.tif 000007
【図６】
2018173210.tif 000008
【図７】
2018173210.tif 000009
【図８】
2018173210.tif 000010
【図９】
2018173210.tif 000011
【国際調査報告】
2018173210.tif 000012
2018173210.tif 000013